(57)【要約】      （修正有）【課題】十分な放熱効果及び伝導効果が得られるＬＥＤランプ放熱構造を提供する。【解決手段】外向きに突出する波状のひだ１１１を有するリフレクター機能を持つＬＥＤランプ放熱構造は、金属板とＬＥＤランプ基板とを有する。金属板は、第１所定の形状を有し、その中央に第２所定の形状を有する。金属板の周りには、第２所定の形状を中心として複数の外向きに突出する波状のひだ１１１を有する錐状部が形成される。錐状部及び第２所定の形状は、所定の傾斜角を有する。第２所定の形状の両面は、それぞれ内面及び外面と定義される。錐状部は、内面を取り囲んで内部エリアを形成する。ＬＥＤランプ基板は、内面にしっかりと取り付けられ、通電されると熱及び光線を発する。熱の大半は、内面を介して第２所定の形状に伝導され、さらに外面、錐状部、及び外向きに突出する波状のひだ１１１を介して空気に伝導される。【選択図】図８Ａ
0003232293.tif 000002
【実用新案登録請求の範囲】
【請求項１】
金属板とＬＥＤランプ基板とを有するＬＥＤランプ放熱構造であって、
前記金属板は、第１所定の形状を有し、その中央に第２所定の形状を有し、
前記金属板の周りには、第２所定の形状を中心として複数の外向きに突出する波状のひだを有する錐状部が形成され、
前記錐状部及び前記第２所定の形状は、所定の傾斜角を有し、
前記第２所定の形状の両面は、それぞれ内面及び外面と定義され、
前記錐状部は、前記内面を取り囲んで内部エリアを形成し、
前記ＬＥＤランプ基板は、前記内面にしっかりと取り付けられ、通電されると熱及び光線を発し、
前記熱の大半は、前記内面を介して前記第２所定の形状に伝導され、さらに前記外面、前記錐状部、及び前記外向きに突出する波状のひだを介して空気に伝導され、
前記光線は、一部がそのまま外側に照射し、他の一部が前記錐状部によって外側に反射されることを特徴とする、
外向きに突出する波状のひだを有するリフレクター機能を持つＬＥＤランプ放熱構造。
【請求項２】
前記第２所定の形状は、前記内部エリアに向かって凸台部を形成し、前記凸台部に対応して前記外面に平底溝を形成し、
前記錐状部は、適切な箇所に均等に複数のＵ字型のピース部が切られ、
各前記Ｕ字型のピース部は、それぞれ隣接する２つの前記外向きに突出する波状のひだの間に位置し、その底部が前記第２所定の形状に向かって、かつ前記凸台部と接続するように前記内部エリアに向かって曲げられ、
複数の前記Ｕ字型のピース部の元の位置には、それぞれ複数の放熱孔が形成されることを特徴とする、
請求項１に記載の外向きに突出する波状のひだを有するリフレクター機能を持つＬＥＤランプ放熱構造。
【請求項３】
電球ソケットをさらに有し、
前記電球ソケットは、結合口とランプソケット結合部とを有し、
前記結合口は、前記外面の方向に向かって前記錐状部と接することを特徴とする、
請求項１に記載の外向きに突出する波状のひだを有するリフレクター機能を持つＬＥＤランプ放熱構造。
【請求項４】
前記錐状部の開口の周りには、前記光線がより均一になるように、導光カバーが設けられることを特徴とする、
請求項１に記載の外向きに突出する波状のひだを有するリフレクター機能を持つＬＥＤランプ放熱構造。
【請求項５】
外筐をさらに有し、
前記外筐は、前記外面の方向に向かって前記金属板を外部から覆うことを特徴とする、
請求項１に記載の外向きに突出する波状のひだを有するリフレクター機能を持つＬＥＤランプ放熱構造。
【考案の詳細な説明】
【技術分野】
【０００１】
本考案は、ＬＥＤランプ放熱構造に関し、特に、外向きに突出する波状のひだを有し、リフレクター機能を持つＬＥＤランプ放熱構造に関する。
【背景技術】
【０００２】
従来のＬＥＤランプ放熱構造としてよく見られるのは、熱伝導率に優れた金属をモールドキャスティングによって成型するもの、例えば、アルミダイカストラジエータが挙げられる。このような鋳造法の利点としては、一体成型で伝導効果が優れることである。その欠点としては、生産コストが高く、後の加工工程が多く、ラジエータの厚さが製造方法によって制限されて薄く作れないため、放熱効果に影響を及ぼすことである。
【０００３】
もう１つの従来のＬＥＤランプ放熱構造は、熱伝導率に優れた金属シートロールをプレス成型してなるものである。このようなプレス成型法の利点としては、金属シートの厚さを必要に応じて調整し、金属シートをプレスすることによって必要な形状に成型するとともに、そのままプレス成型の工程中に接続し、それにより、金属と空気との接触面積を増やし、放熱効果を向上させることである。その欠点としては、プレス成型されたＬＥＤランプ放熱構造は、各々のプレス部品を組み合わせてなるものであるため、伝導効果に影響を及ぼすことである。
【０００４】
従来のリフレクターは、一般的に、錐形部のみを有するため、その他の放熱構造を利用しないと放熱の問題を解決できない。
【考案の概要】
【考案が解決しようとする課題】
【０００５】
従来のＬＥＤランプ放熱構造の放熱効果及び伝導効果が不十分である問題を解決するために、本考案は、外向きに突出する波状のひだを有し、リフレクター機能を持つＬＥＤランプ放熱構造を提供する。本考案に係るＬＥＤランプ放熱構造は、金属板を有し、前記金属板は、第１所定の形状を有し、その中央に第２所定の形状を有する。前記金属板の周りには、第２所定の形状を中心として複数の外向きに突出する波状のひだを有する錐状部が形成される。前記錐状部及び前記第２所定の形状は、所定の傾斜角を有する。本考案に係るＬＥＤランプ放熱構造は、前記錐状部によってリフレクターとしての効果を有し、かつ、前記外向きに突出する波状のひだによって放熱面積を増加することができる。そのため、低エネルギー消費を達成すると共に、従来のＬＥＤランプ放熱構造の放熱効果及び伝導効果が不十分である問題を解決することができる。
【課題を解決するための手段】
【０００６】
上記の問題を解決するために、本考案は、金属板とＬＥＤランプ基板とを有するＬＥＤランプ放熱構造であって、前記金属板は、第１所定の形状を有し、その中央に第２所定の形状を有し、前記金属板の周りには、第２所定の形状を中心として複数の外向きに突出する波状のひだを有する錐状部が形成され、前記錐状部及び前記第２所定の形状は、所定の傾斜角を有し、前記第２所定の形状の両面はそれぞれ内面及び外面と定義され、前記錐状部は、前記内面を取り囲んで内部エリアを形成し、前記ＬＥＤランプ基板は、前記内面にしっかりと取り付けられ、通電されると熱及び光線を発し、前記熱の大半は、前記内面を介して前記第２所定の形状に伝導され、さらに前記外面、前記錐状部、及び前記外向きに突出する波状のひだを介して空気に伝導され、前記光線は、一部がそのまま外側に照射し、他の一部が前記錐状部によって外側に反射される、ことを特徴とする、外向きに突出する波状のひだを有するリフレクター機能を持つＬＥＤランプ放熱構造を提供する。
【０００７】
好ましくは、前記第２所定の形状は、前記内部エリアに向かって凸台部を形成し、前記凸台部に対応して前記外面に平底溝を形成し、前記錐状部は、適切な箇所に均等に複数のＵ字型のピース部が切られ、各前記Ｕ字型のピース部は、それぞれ隣接する２つの前記外向きに突出する波状のひだの間に位置し、その底部が前記第２所定の形状に向かって、かつ前記凸台部と接続するように前記内部エリアに向かって曲げられ、複数の前記Ｕ字型のピース部の元の位置には、それぞれ複数の放熱孔が形成される。
【０００８】
好ましくは、電球ソケットをさらに有し、前記電球ソケットは、結合口とランプソケット結合部とを有し、前記結合口は、前記外面の方向に向かって前記錐状部と接する。
【０００９】
好ましくは、前記錐状部の開口の周りには、光線がより均一になるように、導光カバーが設けられる。
【００１０】
好ましくは、外筐をさらに有し、前記外筐は、前記外面の方向に向かって前記金属板を外部から覆う。
【考案の効果】
【００１１】
本考案は、前記錐状部によってリフレクターとしての効果を有し、前記外向きに突出する波状のひだによって放熱面積を増加することができる。そのため、低エネルギー消費を達成すると共に、従来のＬＥＤランプ放熱構造の放熱効果及び伝導効果が不十分である問題を解決することができる。
【図面の簡単な説明】
【００１２】
【図１】本考案の実施例１を示す平面模式図である。
【図２Ａ】図２Ａは、本考案の実施例１を示す１つの模式図である。
【図２Ｂ】図２Ｂは、本考案の実施例１を示す他の１つの模式図である。
【図３】本考案の実施例１にＬＥＤランプ基板が設置された状態を示す模式図である。
【図４】本考案の実施例１における熱の伝導方向を示す模式図である。
【図５Ａ】図５Ａは、本考案の実施例１を示す側面模式図である。
【図５Ｂ】図５Ｂは、本考案の実施例１のＩＩ線に沿う１つの断面模式図である。
【図５Ｃ】図５Ｃは、本考案の実施例１のＩＩ線に沿う他の１つの断面模式図である。
【図６Ａ】図６Ａは、本考案の実施例２を示す１つの模式図１である。
【図６Ｂ】図６Ｂは、本考案の実施例２を示す他の１つの模式図である。
【図６Ｃ】図６Ｃは、本考案の実施例２及び実施例３を示す側面模式図である。
【図６Ｄ】図６Ｄは、本考案の実施例２のＪＪ線に沿う断面模式図である。
【図７Ａ】図７Ａは、本考案の実施例３を示す１つの模式図である。
【図７Ｂ】図７Ｂは、本考案の実施例３を示す他の１つの模式図である。
【図８Ａ】図８Ａは、本考案の実施例２及び実施例３において前記Ｕ字型のピース部を前記内部エリアに向かって曲げた後、ＬＥＤランプ基板を設置していない状態を示す模式図である。
【図８Ｂ】図８Ｂは、本考案の実施例２及び実施例３において前記ＬＥＤランプ基板を設置した場合の熱の伝導方向を示す模式図である。
【図９】本考案の実施例４のランプを示す模式図である
【図１０】本考案の実施例５を示す模式図である
【考案を実施するための形態】
【００１３】
以下、図面及び実施例を参照しながら本考案について詳しく説明するが、本考案は、それらに限定されるものではない。
【００１４】
図１〜図５Ｃを参照しながら説明する。図１に示すように、本考案の実施例１に係る外向きに突出する波状のひだを有するリフレクター機能を持つＬＥＤランプ放熱構造は、金属板１とＬＥＤランプ基板２とを有する。
【００１５】
前記金属板１は、第１所定の形状１１を有し、その中央に所定の形状１２を有する。図２Ａ及び図２Ｂに示すように、前記金属板１の周りには、第２所定の形状１２を中心として複数の外向きに突出する波状のひだ１１１を有する錐状部１１２が形成される。前記錐状部１１２及び前記第２所定の形状１２は、所定の傾斜角Ａを有する。前記第２所定の形状１２の両面は、それぞれ内面１２１及び外面１２２と定義される。前記錐状部１１２は、前記内面１２１を取り囲んで内部エリア１３を形成する。
【００１６】
図３に示すように、前記ＬＥＤランプ基板２は、前記内面１２１にしっかりと取り付けられ、通電されると熱３及び光線４を発する。
【００１７】
図４に示すように、前記熱３の大半は、前記内面１２１を介して前記第２所定の形状１２に伝導され、さらに前記外面１２２、前記錐状部１１２、及び前記外向きに突出する波状のひだ１１１を介して空気Ｃに伝導される。各前記外向きに突出する波状のひだ１１１により、前記熱３と前記空気Ｃとの接触面積を増やし、放熱効果を向上させることができる。
【００１８】
図５Ａ〜５Ｃに示すように、前記光線４は、一部がそのまま外側に照射し、他の一部が前記錐状部１１２によって外側に反射される。本考案の実施例１によれば、リフレクター及びラジエータが一体化され、そのまま低電力及び中電力のＬＥＤランプに利用すると、エネルギー消費を大幅に低減させることができる。そのため、放熱効果を達成すると共に、生産コストを低減させることができる。
【００１９】
図４のように、本考案の実施例１においては、矢印で前記熱３伝導の経路を示す。実際的に、前記熱３の大半は、図４の矢印の方向に限定されず、前記第２所定の形状１２から周囲に均一に伝導され、前記錐状部１１２を介して前記外向きに突出する波状のひだ１１１に伝導され、さらに前記空気Ｃに伝導される。
【００２０】
図５Ａ〜５Ｃを参照しながら本考案の実施例１について説明する。図５Ｂに示すように、前記光線４は、一部がそのまま外側に照射し、他の一部が前記錐状部１１２に照射して外側に反射される。図５Ｃを参照しながら前記錐状部１１２の反射効果をさらに説明する。図５Ｃのように、同時に発光する前記ＬＥＤランプ基板２を第１発光点２１及び第２発光点２２に簡略化し、かつ前記第１発光点２１及び前記第２発光点２２からそのまま外側に照射する前記光線４を省略し、第１発光点の反射光線４１及び第２発光点の反射光線４２をそれぞれ３つのみ示す。
【００２１】
前記第１発光点２１が発する３つの異なる方向の前記第１発光点の反射光線４１は、それぞれ前記錐状部１１２との照射角度で外側に反射される。同様に、前記第２発光点２２が発する３つの異なる方向の前記第２発光点の反射光線４２は、それぞれ前記錐状部１１２との照射角度で外側に反射される。本実施例は、前記錐状部１１２の反射効果によって、全ての前記光線４が外側に照射され、特定の範囲に集中される。そのため、照度を向上させることができる。
【００２２】
図６Ａ〜８Ｂを参照しながら本考案の実施例２及び実施例３について説明する。図６Ａ〜７Ｂに示すように、前記第２所定の形状１２は、前記内部エリア１３に向かって凸台部１２１１を形成し、前記凸台部１２１１に対応して前記外面１２２に平底溝１２２１を形成する。図６Ｂ及び図７Ｂに示すように、前記錐状部１１２は、適切な箇所に均等に複数のＵ字型のピース部１１２１が切られる。各前記Ｕ字型のピース部１１２１は、隣接する２つの前記外向きに突出する波状のひだ１１１の間に位置し、その底部が前記第２所定の形状１２に向かう。
【００２３】
図６Ｃ及び図６Ｄに示すように、前記Ｕ字型のピース部１１２１は、それぞれ前記凸台部１２１１と接続するように前記内部エリア１３に向かって曲げられる。
【００２４】
また、複数の前記Ｕ字型のピース部１１２１の元の位置には、それぞれ複数の放熱孔１１２２が形成される。図８Ａ及び図８Ｂに示すように、実施例２及び実施例３において、前記熱３は、元の伝導ルートに加えて、一部が前記Ｕ字型のピース部１１２１を介してより早く前記錐状部１１２に向かって空気Ｃに伝導拡散される。実施例１と同様に、図８Ｂには、矢印で前記熱３の伝導経路を示す。実際的に、前記熱３の大半は、図８の矢印の方向に限定されず、前記第２所定の形状１２から周囲に均一に伝導され、前記錐状部１１２を介して前記外向きに突出する波状のひだ１１１に伝導され、さらに前記空気Ｃに伝導される。
【００２５】
図６Ａ及び図６Ｂを参照しながら本考案の実施例２について説明する。前記第２所定の形状１２は、前記内部１３に向かって逆折りして前記凸台部１２１１及び前記平底溝１２２１を形成する。前記平底溝１２２１の周りから、反折りした前記外向きに突出する波状のひだ１１１が見える。
【００２６】
図７Ａ及び図７Ｂを参照しながら本考案の実施例３について説明する。前記第２所定の形状１２は、前記内部１３に向かって引っ張りして前記凸台部１２１１及び前記平底溝１２２１を形成する。前記平底溝１２２１の周りから、引っ張りしたひだのない表面が見える。
【００２７】
好ましくは、図６Ｄに示すように、前記Ｕ字型のピース部１１２１は、それぞれ前記凸台部１２１１と接続するように前記内部エリア１３に向かって曲げられる。前記Ｕ字型のピース部１１２１が曲げられて前記凸台部１２１１に集中した中心位置に隙間が生じることを避けるために、隙間を補償するように前記凸台部１２１１の中央に小さい凸台部１２１２を設けてもよい。それにより、前記ＬＥＤランプ基板２の全面が前記凸台部１２１１及び前記Ｕ字型のピース部１１２１に接触し、伝導効果を向上させることができる。
【００２８】
好ましくは、実施例２及び実施例３においては、前記熱３を伝導するために、前記Ｕ字型のピース部１１２１が前記内部エリア１３に向かって前記ＬＥＤランプ基板２の周りまで曲げされてもよい。
【００２９】
図９に示すように、本考案の実施例４においては、電球ソケット５をさらに有する。前記電球ソケット５は、結合口５１とランプソケット結合部５２とを有する。前記結合口５１は、前記外面１２２の方向に向かって前記錐状部１１２と接する。
【００３０】
好ましくは、図９に示すように、前記錐状部１１２の開口の周りには、光線がより均一になるように、導光カバー６が設けられてもよい。
【００３１】
好ましくは、図１０に示すように、本考案の実施例５においては、外筐７をさらに有する。前記外筐７は、前記外面１２２の方向に向かって前記金属板１を外部から覆う。
【００３２】
上記の内容は、あくまで本考案の好ましい実施例に過ぎず、当業者が上記の内容及び本実用新案登録請求の範囲に基づいて本考案の精神及び原則においてなされたあらゆる変更は、いずれも本考案に含まれる。
【符号の説明】
【００３３】
１  金属板
１１  第１所定の形状
１１１  外向きに突出する波状のひだ
１１２  錐状部
１１２１  Ｕ字型のピース部
１１２２  放熱孔
１２  第２所定の形状
１２１  内面
１２１１  凸台部
１２１２  小さい凸台部
１２２  外面
１２２１  平底溝
１３  内部エリア
２  ＬＥＤランプ基板
２１  第１発光点
２２  第２発光点
３  熱
４  光線
４１  第１発光点の反射光線
４２  第２発光点の反射光線
５  電球ソケット
５１  結合口
５２  ランプソケット結合部
６  導光カバー
７  外筐
Ａ  所定の傾斜角
Ｃ  空気
【図１】
0003232293.tif 000003
【図２Ａ】
0003232293.tif 000004
【図２Ｂ】
0003232293.tif 000005
【図３】
0003232293.tif 000006
【図４】
0003232293.tif 000007
【図５Ａ】
0003232293.tif 000008
【図５Ｂ】
0003232293.tif 000009
【図５Ｃ】
0003232293.tif 000010
【図６Ａ】
0003232293.tif 000011
【図６Ｂ】
0003232293.tif 000012
【図６Ｃ】
0003232293.tif 000013
【図６Ｄ】
0003232293.tif 000014
【図７Ａ】
0003232293.tif 000015
【図７Ｂ】
0003232293.tif 000016
【図８Ａ】
0003232293.tif 000017
【図８Ｂ】
0003232293.tif 000018
【図９】
0003232293.tif 000019
【図１０】
0003232293.tif 000020